(57)【特許請求の範囲】
【請求項１】
上下方向へ開閉し得る上下一対の刀身を有する鋏本体と、その鋏本体を収容し得るケースとを備えたケース付き鋏において、
前記ケースは、上下方向の両側に設けた上壁及び下壁と、上下方向に対し直交する左右方向の両側に設けた左側壁及び右側壁とで筒状をなし、上下方向及び左右方向に対し直交する前後方向の両側のうち後側に設けた後壁に面する前側に設けた口部で開放され、左側壁及び右側壁にはそれぞれ上下両側で互いに間隔をあけて前後方向へ延設した上下一対のガイド突条を設けるとともに、上壁には案内孔を前後方向へ延設し、
前記上下両刀身は、刀身の基端部を支軸により相対回動可能に支持した開閉中心部と、その基端部から延設した指掛腕部と、刃先部を有する刃体とを備え、付勢手段の弾性力により互いに開くとともに付勢手段の弾性力に抗して互いに閉じ、上側刀身には指掛腕部に対する後側で指掛腕部と前後方向に並ぶ操作摘みを設けるとともに、下側刀身には前端部と後端部との間で前側から後側へ向うに従い下側から上側に延びる傾斜部を有するガイド突条を設け、
鋏本体をケース内に挿入した状態で、開閉中心部の回動中心線の方向の両側で支軸の端部に設けた突部をケースの左側壁及び右側壁における上下両側のガイド突条間に対し前後方向へ移動可能に係入するとともに、上側刀身の操作摘みをケースの上壁の案内孔から外側に前後方向へ移動可能に露出させ、開閉中心部においてケース及び下側刀身に対する上側刀身の回動を規制するとともにケース及び上側刀身に対する下側刀身の回動を可能にし、
鋏本体をケースに対し前後方向へ移動させて上下両刀身の刃体をケースの口部から出入する際に、下側刀身のガイド突条に設けた傾斜部が、ケースの側壁に設けた下側ガイド突条に案内されて、
鋏本体をケースに収容する収容状態で上下両刀身の刃体が付勢手段の弾性力に抗して互いに閉じて両刃先部の尖端の重合によりそれらの尖端間の間隔が生じない閉状態のまま、上下両刀身の刃体をケースの口部から突出させた突出途中状態を経て、上下両刀身が付勢手段の弾性力により互いに開いた突出状態で上下両刀身の刃体の開度を最大にした開状態に至るとともに、その突出状態から突出途中状態を経て収容状態に至るように、ケースに対し上下両刀身を案内する
ことを特徴とするケース付き鋏。
【請求項２】
左側壁と右側壁とのうち、一方の側壁における上下両側のガイド突条間に係入される支軸の一方の突部の係合寸法と、他方の側壁における上下両側のガイド突条間に係入される支軸の他方の突部の係合寸法とが互いに異なり、一方の上下両ガイド突条間に他方の突部が係合不能であるか、または、他方の上下両ガイド突条間に一方の突部が係合不能であることを特徴とする請求項１に記載のケース付き鋏。
【発明の詳細な説明】
【技術分野】
【０００１】
本発明は、刃体を有する一対の刀身を互いに開閉可能に支持した鋏本体をケースに収容した収容状態から両刀身の刃体をケースから突出させて使用することができるケース付き鋏に関するものである。
【背景技術】
【０００２】
従来、下記特許文献１にかかるケース付き鋏では、両刀身の刃体をケースから突出させた突出状態ばかりでなく、鋏本体をケースに収容した収容状態でも、両刀身の刃体は常に最大に開いた開状態になっている。
【先行技術文献】
【特許文献】
【０００３】
【特許文献１】実公平７−４０３６６号公報
【発明の概要】
【発明が解決しようとする課題】
【０００４】
上記特許文献１にかかるケース付き鋏では、両刀身の刃体がケースに対する収容状態から最大突出状態にわたる全範囲で一定の最大開度になっているため、不使用時に両刀身の刃体がケースから不用意に若干突出しただけで、衣服のポケットなどに鋏を収容した際に刃体の刃先部やその尖端により衣服を傷付けたり、鋏の近辺にある物を刃体の刃先部やその尖端により傷付けたり、使用者に不安感を与えたりする問題があった。また、両刀身の刃体が出入するケースの口部が開放されている場合には、その口部から物が入って刃体の刃先部やその尖端を傷付けたり、その口部から入った指を刃体の刃先部やその尖端により傷付けたりする問題があった。
【０００５】
この発明は、ケース付き鋏において、ケースに対する鋏本体の収容状態や突出状態で両刀身の刃体の開度に変化を持たせて、前述した問題を解消することを目的としている。
【課題を解決するための手段】
【０００６】
後記実施形態の図面（図１〜４）の符号を援用して本発明を説明する。
請求項１の発明において、上下方向へ開閉し得る上下一対の刀身２，３を有する鋏本体１と、その鋏本体１を収容し得るケース２３とを備えたケース付き鋏は、下記のように構成されている。
前記ケース２３は、上下方向の両側に設けた上壁２４及び下壁２５と、上下方向に対し直交する左右方向の両側に設けた左側壁２６及び右側壁２７とで筒状をなし、上下方向及び左右方向に対し直交する前後方向の両側のうち後側に設けた後壁２８に面する前側に設けた口部２９で開放されている。左側壁２６及び右側壁２７にはそれぞれ上下両側で互いに間隔Ｗ３１，Ｗ３２をあけて前後方向へ延設した上下一対のガイド突条３１，３２を設けている。上壁２４には案内孔３０を前後方向へ延設している。前記上下両刀身２，３は、刀身２，３の基端部７を支軸１４により相対回動可能に支持した開閉中心部４と、その基端部７から延設した指掛腕部８と、刃先部１８を有する刃体９，１０とを備え、板ばね１９ａなどの付勢手段の弾性力により互いに開くとともにその付勢手段の弾性力に抗して互いに閉じる。上側刀身２には指掛腕部８に対する後側で指掛腕部８と前後方向に並ぶ操作摘み３３を設けている。下側刀身３には前端部２２ｃと後端部２２ｂとの間で前側から後側へ向うに従い下側から上側に延びる傾斜部２２ａを有するガイド突条２２を設けている。鋏本体１をケース２３内に挿入した状態で、開閉中心部４の回動中心線４ａの方向の両側で支軸１４の端部に設けた突部１６ａ，１７をケース２３の左側壁２６及び右側壁２７における上下両側のガイド突条３１，３２間に対し前後方向へ移動可能に係入している。上側刀身２の操作摘み３３をケース２３の上壁２４の案内孔３０から外側に前後方向へ移動可能に露出させている。開閉中心部４においてケース２３及び下側刀身３に対する上側刀身２の回動を規制するとともに、ケース２３及び上側刀身２に対する下側刀身３の回動を可能にしている。鋏本体１をケース２３に対し前後方向へ移動させて上下両刀身２，３の刃体９，１０をケース２３の口部２９から出入する際に、下側刀身３のガイド突条２２に設けた傾斜部２２ａが、ケース２３の側壁２６に設けた下側ガイド突条３２に案内されて、鋏本体１をケース２３に収容する収容状態Ｄで上下両刀身２，３の刃体９，１０が板ばね１９ａなどの付勢手段の弾性力に抗して互いに閉じて両刃先部１８の尖端１８ａの重合によりそれらの尖端１８ａ間の間隔が生じない閉状態のまま、上下両刀身２，３の刃体９，１０をケース２３の口部２９から突出させた突出途中状態Ｃを経て、上下両刀身２，３が板ばね１９ａなどの付勢手段の弾性力により互いに開いた突出状態Ａで上下両刀身２，３の刃体９，１０の開度を最大にした開状態に至るとともに、その突出状態Ａから突出途中状態Ｃを経て収容状態Ｄに至るように、ケース２３に対し上下両刀身２，３を案内する。
請求項１の発明は、下記の効果を有している。
（イ）  収容状態Ｄで両刀身２，３の刃体９，１０の開度が突出状態Ａ，Ｂよりも小さいので、不使用時に両刀身２，３の刃体９，１０がケース２３から不用意に突出しても、衣服のポケットなどに鋏を収容した際に刃体９，１０の刃先部１８やその尖端１８ａにより衣服を傷付けたり、鋏の近辺にある物を刃体９，１０の刃先部１８やその尖端１８ａにより傷付けたりするおそれは少なくなるとともに、使用者に安心感を与えることができる。また、両刀身２，３の刃体９，１０が出入するケース２３の口部２９が開放されている場合であっても、その口部２９から物が入って刃体９，１０の刃先部１８やその尖端１８ａを傷付けたりその口部２９から入った指を刃体９，１０の刃先部１８やその尖端１８ａにより傷付けたりするおそれも少なくなる。
（ロ）  両刀身２，３の刃体９，１０をケース２３の口部２９から突出させた突出途中状態Ｃまで、両刀身２，３の刃体９，１０が閉状態を維持するので、不使用時に両刀身２，３の刃体９，１０がケース２３から突出途中状態Ｃまで不用意に突出したり、使用時に両刀身２，３の刃体９，１０をケース２３から突出途中状態Ｃまで突出させたりしても、鋏の近辺にある物を刃体９，１０の刃先部１８やその尖端１８ａにより傷付けたりするおそれを少なくするとともに、使用者に視覚的な安心感を与えることができる。さらに、収容状態Ｄばかりでなく突出途中状態Ｃでも、両刃先部１８の尖端１８ａが互いに重合してそれらの尖端１８ａ間の間隔が生じない閉状態であるため、その効果をより一層発揮させることができる。
【０００７】
（ハ）  鋏本体１をケース２３内に挿入した状態で、開閉中心部４の回動中心線４ａの方向の両側で支軸１４の端部に設けた突部１６ａ，１７をケース２３の左側壁２６及び右側壁２７における上下両側のガイド突条３１，３２間に対し前後方向へ移動可能に係入しているので、その突部１６ａ，１７とガイド突条３１，３２との相互作用によって鋏本体１をケース２３に対し移動させるとともに両刀身２，３を互いに開閉させることができ、鋏本体１に設けた案内手段の構成を簡単にすることができる。
【０００８】
（ニ）  下側刀身３には前端部２２ｃと後端部２２ｂとの間で前側から後側へ向うに従い下側から上側に延びる傾斜部２２ａを有するガイド突条２２を設けているので、鋏本体１に設けた案内手段の構成を簡単にすることができる。
【０００９】
（ホ）  鋏本体１をケース２３に対し移動させるためにケース２３に設けたガイド突条３１，３２と、両刀身２，３を互いに開閉させるためにケース２３に設けたガイド突条３１とを兼用しているので、ケース２３に設けた案内手段の構成を簡単にすることができる。
【００１０】
（ヘ）  鋏本体１に設けたガイドは突条２２であるので、鋏本体１に設けた案内手段の構成を簡単にすることができる。
【００１１】
（ト）  上側刀身２には指掛腕部８に対する後側で指掛腕部８と前後方向に並ぶ操作摘み３３を設け、上側刀身２の操作摘み３３をケース２３の上壁２４の案内孔３０から外側に前後方向へ移動可能に露出させているので、ケース２３を把持した手の親指を操作摘み３３に当てがったまま操作摘み３３を操作することができ、鋏本体１のケース２３に対する移動を行い易い。
【００１３】
（チ）  ケース２３に設けたガイドは、互いに間隔をあけて延設された一対の突条３１，３２であるので、ケース２３に設けた案内手段の構成を簡単にすることができる。
【００１４】
（リ）  鋏本体１をケース２３に対し移動させるために鋏本体１に設けたガイドは、両刀身２，３を互いに回動可能に支持する開閉中心部４に設けた突部１６ａ，１７であるので、鋏本体１に設けた案内手段の構成を簡単にすることができる。
【００１５】
（ヌ）  前記開閉中心部４の突部は、両刀身２，３に挿着された軸１４の端部１６ａ，１７であるので、鋏本体１に設けたガイドの構成を簡単にすることができる。
【００１７】
（ル）  開閉中心部４においてケース２３及び下側刀身３に対する上側刀身２の回動を規制するとともに、ケース２３及び上側刀身２に対する下側刀身３の回動を可能にしているので、鋏本体１のケース２３に対する移動と、鋏本体１の両刀身２，３の開閉とを容易に行うことができる。
【００１８】
（ヲ）  上側刀身２の操作摘み３３をケース２３の上壁２４の案内孔３０から外側に前後方向へ移動可能に露出させて、開閉中心部４においてケース２３及び下側刀身３に対する上側刀身２の回動を規制しているので、鋏本体１のケース２３に対する移動と、鋏本体１の両刀身２，３の開閉とを容易に行うことができる。
【００１９】
（ワ）  上側刀身２の操作摘み３３をケース２３の上壁２４の案内孔３０から外側に前後方向へ移動可能に露出させてので、上側刀身２に対する操作摘み３３の挿着を簡単にすることができる。
【００２０】
（カ）  前記鋏本体１は両刀身２，３を互いに開くように付勢する板ばね１９ａなどの付勢手段を備えているので、両刀身２，３を容易に開くことができる。
請求項１の発明を前提とする請求項２の発明において、左側壁２６と右側壁２７とのうち、一方の側壁２６における上下両側のガイド突条３１間に係入される支軸１４の一方の突部１６ａの係合寸法と、他方の側壁２７における上下両側のガイド突条３２間に係入される支軸１４の他方の突部１７の係合寸法とが互いに異なり、一方の上下両ガイド突条３１間に他方の突部１７が係合不能であるか、または、他方の上下両ガイド突条３２間に一方の突部１６ａが係合不能である。請求項２の発明では、ケース２３に対する鋏本体１の位置関係を特定して、鋏本体１をケース２３に収容することができる。従って、鋏本体１をケース２３に対し誤って上下反対に組み付けることがない。
【発明の効果】
【００２１】
本発明は、ケース付き鋏において、ケース２３に対する鋏本体１の収容状態Ｄや突出状態Ａ，Ｂ，Ｃで両刀身２，３の刃体９，１０の開度に変化を持たせて、不使用時にケース２３から不用意に突出した両刀身２，３の刃体９，１０の刃先部１８やその尖端１８ａにより衣服や物を傷付けるおそれを少なくするとともに、使用者に安心感を与えることができる。
【図面の簡単な説明】
【００２２】
【図１】（ａ）は本実施形態にかかるケース付き鋏の分解斜視図であり、（ｂ）は（ａ）における下側の刀身の部分斜視図であり、（ｃ）は（ａ）における鋏本体の組付け斜視図である。
【図２】（ａ）は図１（ｃ）における鋏本体を図１（ａ）におけるケースに挿入した状態を示す斜視図であり、（ｂ）は（ａ）におけるケース及び鋏本体に操作摘みを挿着して鋏本体を開状態でケースから突出させた最大突出状態を示す組付け斜視図であり、（ｃ）は（ｂ）の最大突出状態から鋏本体をケースに収容して閉状態にした収容状態を示す組付け斜視図である。
【図３】（ａ）（ｂ）（ｃ）（ｄ）はそれぞれケース付き鋏において鋏本体をケースに対し移動させて最大突出状態と収容状態とそれらの間の突出途中状態を示す正面図である。
【図４】（ａ）は図３（ａ）におけるケースを正面側から破断して示す断面図であり、（ｂ）は図３（ａ）におけるケースを背面側から破断して示す断面図であり、（ｃ）は図３（ｃ）におけるケースを正面側から破断して示す断面図であり、（ｄ）は図３（ｄ）におけるケースを正面側から破断して示す断面図である。
【発明を実施するための形態】
【００２３】
以下、本発明の一実施形態にかかるケース付き鋏について図面を参照して説明する。
図１に示す鋏本体１においては、上下一対の刀身２，３が開閉中心部４で回動中心線４ａを中心に互いに開閉可能に支持されている。上下両刀身２，３において、プラスチックにより成形されたハンドル５，６は、それぞれ、基端部７とその基端部７から延設された指掛腕部８とからなり、ハンドル５，６の成形時この指掛腕部８の内側に金属製の刃体９，１０が一体的に取着される。
【００２４】
開閉中心部４においては、上側のハンドル５の基端部７の内側に雌筒部１１が形成され、下側のハンドル６の基端部７の内側に雄筒部１２が形成されてこの雌筒部１１に対し回動可能に挿嵌され、この雄筒部１２に形成された支持孔１３に支軸１４が挿着されている。支軸１４は、プラスチックにより成形され、一対の割り片１６からなる軸部１５と、軸部１５よりも大径の頭部１７とからなる。軸部１５の両割り片１６の先端には係止段部１６ａが形成されている。支軸１４の軸部１５が支持孔１３に挿着された状態で、図４（ｂ）に示すように支軸１４の頭部１７は雌筒部１１の外側に形成された凹部１１ａに嵌め込まれて係止され、図４（ａ）に示すように軸部１５の両割り片１６の係止段部１６ａは雄筒部１２の外側に形成された凹部１２ａに嵌め込まれて係止されて支持孔１３からの支軸１４の離脱を阻止している。
【００２５】
上下両刀身２，３は支軸１４を有する開閉中心部４の回動中心線４ａを中心に相対回動する。上下両刃体９，１０は、相対向する刃先部１８を有し、その回動の際に互いに摺接する。上側のハンドル５の基端部７の内側には付勢手段としての金属製の板ばね１９ａが片持ち梁状に支持され、下側のハンドル６の基端部７の内側にはその板ばね１９ａが圧接される受圧部１９ｂが形成され、上下両刀身２，３が板ばね１９ａの弾性力により互いに開くように付勢されている。上側のハンドル５の基端部７上と下側のハンドル６の基端部７上とにそれぞれ形成されたストッパ部２０が互いに係止されて、上下両刀身２，３の開度である両刃先部１８の尖端１８ａ間の間隔が規制される。回動中心線４ａに対し直交する方向の両側のうち一方の側である上側のハンドル５の基端部７上には係止孔２１が形成されている。下側のハンドル６の基端部７の外側（回動中心線４ａの方向の両側のうち一方の側）には突条２２（案内手段としてのガイド）が形成されている。突条２２は、前端部２２ｃと、前端部２２ｃの後端部に対し屈曲されて前側から後側へ向うに従い下側から上側へ延びる傾斜部２２ａと、傾斜部２２ａの後端部２２ｂとからなる。
【００２６】
図１に示すケース２３は、プラスチックにより成形され、上下方向の両側に設けた上壁２４及び下壁２５と、上下方向に対し直交する左右方向の両側に設けた左側壁２６及び右側壁２７とで筒状をなし、上下方向及び左右方向に対し直交する前後方向の両側のうち後側に設けた後壁２８に紐孔２８ａを有し、その後壁２８に面する前側に形成された口部２９で開放されている。上壁２４には前後方向へ延びる案内孔３０が形成されてケース２３内と連通している。図４（ａ）（ｂ）に示すように、左側壁２６の内側には上下一対の突条３１が互いに間隔Ｗ３１（約５．５ｍｍ）をあけて前後方向へ平行に延設されているとともに、右側壁２７の内側には上下一対の突条３２が互いに間隔Ｗ３２（約７ｍｍ）をあけて前後方向へ平行に延設され、上下両突条３１の間隔Ｗ３１が上下両突条３２の間隔Ｗ３２よりも小さく設定されている。支軸１４の軸部１５の両係止段部１６ａの最大径（係合寸法）は上下両突条３１の間隔Ｗ３１に合わせて設定され、支軸１４の頭部１７の最大径（係合寸法）は上下両突条３２の間隔Ｗ３２に合わせて設定されている。
【００２７】
図２（ａ）に示すように鋏本体１の上下両刀身２，３の基端部７がケース２３内に口部２９から挿入され、図４（ａ）（ｂ）に示すように、支軸１４の軸部１５の両係止段部１６ａ（案内手段としてのガイド、軸の端部にある突部）が左側壁２６の上下両突条３１間に係入されるとともに、支軸１４の頭部１７（案内手段としてのガイド、軸の端部にある突部）が右側壁２７の上下両突条３２間に係入され、図２（ｂ）に示すように上側のハンドル５の係止孔２１に操作摘み３３が上壁２４の案内孔３０を通して挿着されている。操作摘み３３は、プラスチックにより成形され、一対の割り片３４と、一対の割り片３４よりも大きい指当部３５とからなる。両割り片３４の先端には係止段部３４ａが形成されている。操作摘み３３の両割り片３４の係止段部３４ａは係止孔２１に係止されて係止孔２１からの操作摘み３３の離脱を阻止している。操作摘み３３の指当部３５は案内孔３０の外側に露出している。操作摘み３３により、上側の刀身２のケース２３に対する回動を規制し、下側の刀身３は上側の刀身２とケース２３とに対し開閉中心部４で回動し得る。
【００２８】
下側のハンドル６の突条２２はケース２３の左側壁２６の突条３１に係合する。図２（ｂ）（ｃ）に示すように操作摘み３３を案内孔３０に沿って移動させると、支軸１４の両係止段部１６ａが上下両突条３１で案内されるとともに、支軸１４の頭部１７が上下両突条３２で案内されながら、鋏本体１がケース２３に対し操作摘み３３とともに前後方向へ移動して図３に示す各種状態を取る。
【００２９】
図３（ａ）及び図４（ａ）（ｂ）に示すように鋏本体１をケース２３から最大に突出させた最大突出状態Ａから操作摘み３３を案内孔３０に沿って後方へ移動させると、図３（ｂ）の突出途中状態Ｂや、図３（ｃ）及び図４（ｃ）の突出途中状態Ｃを経て、図３（ｄ）及び図４（ｄ）に示すように鋏本体１をケース２３に収容させた収容状態Ｄに至る。逆に、その収容状態Ｄから操作摘み３３を案内孔３０に沿って前方へ移動させると、図４（ｃ）の突出途中状態Ｃや図３（ｂ）の突出途中状態Ｂを経て、図３（ａ）及び図４（ａ）（ｂ）に示す最大突出状態Ａに至る。
【００３０】
図３（ａ）及び図４（ａ）（ｂ）に示す最大突出状態Ａでは、操作摘み３３が案内孔３０の前端部に凹凸部により係止されて保持され、下側のハンドル６の突条２２において傾斜部２２ａの後端部２２ｂが左側壁２６の突条３１の前端部に当接しているため、両刀身２，３の刃体９，１０が板ばね１９ａの弾性力により最大に開かれた最大開状態となり、両刃先部１８の尖端１８ａ間の間隔Ｌ（約８ｍｍ）が最大に広がっている。
【００３１】
図３（ｄ）及び図４（ｄ）に示す収容状態Ｄでは、操作摘み３３が案内孔３０の後端部に凹凸部により係止されて保持され、下側のハンドル６の突条２２において前端部２２ｃが左側壁２６の突条３１の中間部に乗り上げているため、両刀身２，３の刃体９，１０が板ばね１９ａの弾性力に抗して閉じた閉状態となり、両刃先部１８の尖端１８ａが互いに重合してそれらの尖端１８ａ間の間隔が生じないようになっている。
【００３２】
その収容状態Ｄから操作摘み３３を案内孔３０に沿って前方へ移動させると、図３（ｃ）及び図４（ｃ）の突出途中状態Ｃまでは、下側のハンドル６の突条２２において前端部２２ｃが左側壁２６の突条３１に乗り上げた状態を維持して鋏本体１がケース２３に対し平行移動し、両刀身２，３の刃体９，１０が板ばね１９ａの弾性力に抗して閉じた閉状態のままとなる。その突出途中状態Ｃで突条２２の前端部２２ｃが突条３１の前端部に当接した後は、突条３１の前端部が突条２２の前端部２２ｃからその後端部２２ｂにわたり傾斜部２２ａに当接しながら、両刀身２，３の刃体９，１０が板ばね１９ａの弾性力により次第に開かれる。なお、図３（ｂ）の突出途中状態Ｂでは、最大突出状態Ａと突出途中状態Ｃとの間で両刀身２，３の刃体９，１０が少し開いた開状態となる。
【００３３】
ちなみに、収容状態Ｄにおける鋏の前後方向全長が約６８ｍｍ、最大突出状態Ａにおける鋏の前後方向全長が約１０２ｍｍ、収容状態Ｄから最大突出状態Ａにした際にケース２３に対し鋏本体１が前後方向へ移動する全移動距離は約３７ｍｍ、収容状態Ｄから突出途中状態Ｃにした際にケース２３に対し鋏本体１が両刃体９，１０の閉状態のままで前後方向へ移動する閉状態移動距離は約２１．５ｍｍに、それぞれ設定されている。その全移動距離（約３７ｍｍ）に対しその閉状態移動距離（約２１．５ｍｍ）が半分以上を占めるため、両刀身２，３の刃体９，１０を互いに閉じた閉状態を長く維持したまま開くことができる。
【００３４】
本実施形態は下記の効果を有する。
（１）  鋏本体１は、ケース２３に対する収容状態Ｄで両刀身２，３の刃体９，１０が互いに閉じた閉状態になるので、ケース２３の口部２９が開放されている場合であっても、その口部２９から物が入って刃体９，１０の刃先部１８やその尖端１８ａを傷付けたりその口部２９から入った指を刃体９，１０の刃先部１８やその尖端１８ａにより傷付けたりするおそれが少なくなる。
【００３５】
（２）  鋏本体１は、ケース２３に対する収容状態Ｄで両刀身２，３の刃体９，１０が互いに閉じて両刃先部１８の尖端１８ａが互いに重合してそれらの尖端１８ａ間の間隔が生じない閉状態のまま両刀身２，３の刃体９，１０をケース２３の口部２９から突出させた突出途中状態Ｃを経て、両刀身２，３が互いに開いた開状態に至るので、不使用時に両刀身２，３の刃体９，１０がケース２３から突出途中状態Ｃまで不用意に突出したり、使用時に両刀身２，３の刃体９，１０をケース２３から突出途中状態Ｃまで突出させたりしても、鋏の近辺にある物を刃体９，１０の刃先部１８やその尖端１８ａにより傷付けたりするおそれを少なくするとともに、使用者に視覚的な安心感を与えることができる。
【００３６】
（３）  鋏本体１の開閉中心部４で上下両刀身２，３を互いに回動可能に支持する支軸１４の両端部の突部（頭部１７と軸部１５の係止段部１６ａ）をケース２３の突条３１，３２で案内するので、鋏本体１のケース２３に対する移動を簡単な構成で容易に行うことができる。
【００３７】
（４）  鋏本体１において下側の刀身３に形成した突条２２をケース２３の突条３１で規制して上側の刀身２に対し下側の刀身３を開閉させるので、鋏本体１の両刀身２，３の開閉を簡単な構成で容易に行うことができる。
【００３８】
（５）  ケース２３上の操作摘み３３と上側の刀身２のハンドル５の指掛腕部８とは共に上側で前後方向に並んでいるので、使用時に収容状態Ｄから突出途中状態Ｃ，Ｂを経て最大突出状態Ａに至る際、収容状態Ｄでケース２３を把持した手の親指を操作摘み３３に当てがったまま操作摘み３３を操作することができる。さらに、その手の親指をそのまま操作摘み３３から上側の刀身２のハンドル５の指掛腕部８に向けて前方へ移動させて上下両刀身２，３を互いに開閉させることができる。また、その手の親指をそのまま後方へ移動させて鋏本体１をケース２３に収容することができる。従って、鋏本体１のケース２３に対する移動を行い易い。
【００３９】
（６）  支軸１４の軸部１５の両係止段部１６ａの最大径（係合寸法）はケース２３の上下両突条３１の間隔Ｗ３１に合わせて設定され、支軸１４の頭部１７の最大径（係合寸法）はケース２３の上下両突条３２の間隔Ｗ３２に合わせて設定され、一方の上下両突条３１間に頭部１７が係合不能であるので、ケース２３に対する鋏本体１の位置関係を特定して、鋏本体１をケース２３に収容することができ、鋏本体１をケース２３に対し誤って上下反対に組み付けることがない。
【００４０】
前記実施形態以外にも例えば下記のように構成してもよい。
【００４３】
・  前記実施形態では、下側のハンドル６の左側にのみ突条２２を形成したが、下側のハンドル６の右側にも突条２２を形成してもよい。
【００４５】
・  収容状態Ｄから突出途中状態Ｃに至るまでは両刃体９，１０を閉状態のままにし、突出途中状態Ｃを過ぎた直後に両刃体９，１０を最大に開いた開状態にしてもよいが、前述した実施形態のように、突出途中状態Ｃから突出途中状態Ｂを経て最大突出状態Ａに至るに従い両刃体９，１０を次第に開くようにしてもよい。
【００４７】
・  ケース２３の外側に滑り止め凹凸部を設けてもよい。例えば、その滑り止め凹凸部としてブランド名やロゴマークを表示することもできる。
【符号の説明】
【００４８】
１…鋏本体、２，３…刀身、４…開閉中心部、４ａ…回動中心線、９，１０…刃体、１４…支軸、１６ａ…支軸の係止段部（案内手段としてのガイド、軸の端部にある突部）、１７…支軸の頭部（案内手段としてのガイド、軸の端部にある突部）、１８…刃先部、１８ａ…尖端、１９ａ…板ばね（付勢手段）、２２…突条（案内手段としてのガイド）、２３…ケース、２９…口部、３１，３２…突条（案内手段としてのガイド）、３３…操作摘み、Ａ…最大突出状態、Ｃ…突出途中状態、Ｄ…収容状態。
【図１】
0005512486.tif 000002
【図２】
0005512486.tif 000003
【図３】
0005512486.tif 000004
【図４】
0005512486.tif 000005